(57)【要約】【課題】ループタイにおけるパイプ状の留め金具は構造が簡単であるが、締め付け摩擦力を利用するため弾力性のない金属素材のチェーンは留められない。また、クリップ方式の留め金具は構造が複雑であり、厚さが厚く、チェーンのループタイにこれを用いた場合は、その厚みによって身体から必要以上に離れて装着されることになり意匠面で好ましくない。【解決手段】本考案は、ペンダントの裏面に筒状の吊金具を設け、ループタイを着脱する時は吊金具がチェーンに沿って自由に滑動させることができ、ループタイを装身具として着用した状態ではチェーンの任意位置に吊金具を留め、ペンダントの位置保持ができるように吊金具を配置したところに特徴がある。【選択図】図１
0003128104.tif 000002
【実用新案登録請求の範囲】
【請求項１】
チェーンとペンダントとからなるループタイにおいて、ペンダントの裏面にチェーンを通す筒状の吊金具を設け、着脱時は吊金具をチェーンに沿って自由に滑動させることができ、着用時には吊金具をチェーンの任意位置で留め、位置保持できるよう吊金具が配置されたことを特徴とするペンダント
【考案の詳細な説明】
【技術分野】
【０００１】本考案は、装身具のループタイに吊すペンダントに関する。
【背景技術】
【０００２】ループタイ（紐ネクタイの通称）では、通常、繊維、皮などを編んだ紐、或いはゴム、プラスチック等を円形断面に成形した紐をネクタイとして用いる。紐を束ねる留金具には二種あり、一つは、紐と同径のパイプ状の留金具に紐を通し、留金具をその締付け摩擦力で紐の任意位置に留める方式であり、もう一つは、クリップ方式（例えば、押して開き、離すと閉じる形式）の留金具で紐を挟むことにより留める方式である。
【考案の開示】
【考案が解決しようとする課題】
【０００３】紐の弾力性を利用し、締付け摩擦力によって留めるパイプ状の留金具は、構造が簡単であるが、弾力性がない金や銀のような金属素材のチェーンを留めことができない。【０００４】クリップ方式の留金具は構造が複雑であり、留金具の厚さが厚くなる。通常のループタイの場合は紐自体が太く、留金具の表板と身体との間の隙間は気にならない。一方、チェーンを用いたループタイにおいては、チェーンは、通常、紐より細身であり、主役であるペンダントはなるべく身体に密着した状態で着用することが望ましく、ペンダントが吊金具の厚みによって身体から必要以上に離れて装着されるのは意匠面で好ましくない。
【課題を解決するための手段】
【０００５】本考案は、ペンダントの裏面に筒状の吊金具を設け、ループタイを身に着けたり外したりする時は吊金具をチェーンに沿って自由に滑動させることができ、ループタイを装身具として着用した状態ではチェーンの任意位置に吊金具を留め、ペンダントの位置保持ができるように吊金具を配置したところに特徴がある。
【考案の効果】
【０００６】このように、本考案は筒状の吊金具を使うので、構造は簡単、厚みも最小、精度が厳しくなく、制作も容易といった利点があり、ペンダントが身体から必要以上に離れて装着されることがない。【０００７】本考案によって構造の簡単な筒状の吊金具を設けたペンダントが提供され、任意形状の金属製のチェーンをループタイの紐として用いることが容易になった。
【考案を実施するための最良の形態】
【０００８】図１は、チェーン１を首に掛け、ループタイとして着用した状態を裏側から見た平面図で、チェーン１をペンダント２の裏面に設けられた吊金具３とチェーンおさえ４に通した状態を示す。【０００９】吊金具３は、チェーン１が滑動できる内寸をもった丸または角型の筒で、長さはチェーン１の１リンク程度に選び、ペンダントの重心点より上部に配置する。【００１０】図１の状態では、吊金具３の下端にペンダント２とペンダント２から吊りおろされたチェーン１との合計重量が掛かるため、チェーン１は吊金具３の下端で鋭角に折り曲げられ、両者の間に大きな摩擦力が生じ、吊金具３はチェーン１の中を滑って動くことなくペンダント２の位置が保持される。【００１１】チェーンおさえ４はＬ字形をした金具で、その開放端からチェーン１をチェーンおさえ４に差し込んだり抜いたりできる構造とし、ペンダントの下端近くに配置する。このチェーンおさえ４はペンダント２の反転防止の役割とチェーン１の下部がペンダント２下端の定位置から揺れるようにする役割がある。反転防止について説明すると、チェーンおさえ４にチェーン１が差し込まれていない場合、端末金物５を下に引くと、吊金具３の上端に下向きの力が働き、ペンダント２は、表側から見た図２に示したように上下、表裏とも反転してしまう。チェーン１がチェーンおさえ４に差し込まれているとこの現象は起きない。したがって、ループタイ着用時はチェーン１をチェーンおさえ４に差し込んだ状態とする。なお、端末金物５はチェーン１が吊金具３から抜けないように設けたものである。【００１２】チェーン１を首から外すときは、まず、チェーン１をチェーンおさえ４から外して下に引き、ペンダント１を上下、表裏とも反転させる。この図２に示した状態では、吊金具３をチェーン１に沿って滑らせ自由に移動させることができるから、首からペンダントまでの部分のチェーン１の長さを長くすることによって、チェーン１を首から外すことができる。
チェーン１を首に掛けるときは、以上の動作を逆に行えばよい。
【実施例１】
【００１３】図１に示したチェーンとペンダントの組み合わせによって、すべての形式のチェーンに対して、ループタイが実現できる。
【実施例２】
【００１４】本考案はルーペつきペンダントとしても使用できる。図３はペンダント２の裏に回転可能に取り付けたルーペ９の使用時の状態を表側から見た平面図である。詳しく述べると、チェーン１をチェーンおさえ４から外しペンダント２を上下、表裏とも反転させ、チェーン１の最下端までペンダント２を下ろし、ルーペ９が使用できるようペンダント２の外に回した状態である。【００１５】取り付け部の詳細を説明すると次のとおりである。ピン７とピン８はペンダント２の裏面に垂直にロウ付け後、それぞれにルーペ９の厚み寸法よりやや長いスリーブ（図示していない）をスペーサーとして通し、スリーブをつけたピン７にはルーペ９の取り付け穴部を通し、ピン７とピン８に裏板６の取り付け穴部を通したあと両ピンをかしめてペンダント２に裏板６を固定する。
【実施例３】
【００１６】チェーン１は、例えば、長いリンクと短いリンクを組み合わせたチェーンのように、吊金具３の下端で鋭角に折り曲げなくても滑らず位置保持できる形状のものがある。このような場合には、図４に示したとおり、体に装着したときチェーン１の折り曲げ角度が９０°程度になるように、吊金具３をペンダント１に取り付けることもできる。
【実施例４】
【００１７】図４の配置は、チェーン１の代わりに各種素材の紐を用いた場合にも適用できる。
【実施例５】
【００１８】図１あるいは図４の配置では、チェーン１の端末を２本たらしているが、１本の端末はペンダント２に固定することによって、１本だけ垂らすようにすることもできる。一本とした形は、Ｙ字型のチェーンつきペンダントに見られる。本考案をＹ字型のチェーンつきペンダントに用いた場合はペンダント２の位置を着衣の襟の形に合わせて、上下に移動させることができる利点が生じる。
【産業上の利用の可能性】
【００１９】本発明によって、ループタイの吊紐を従来の繊維製や皮製のような弾力性を持つ紐だけでなく、弾力性のない金属製で、かつ、多様な形状、寸法を持つチェーンに拡張できる。また、ルーペ付きペンダントのように、ペンダントの位置を吊紐の全長の範囲で任意に選べることが要望される対象についても、要望に応えることができる。
【図面の簡単な説明】
【００２０】
【図１】ペンダント２がチェーン１に吊るされた状態を裏側から見た平面図である。
【図２】ペンダント２が反転した状態を表側から見た平面図である。
【図３】ペンダント２の裏にルーペ９を取り付け、ルーペ９の使用時の状態を表側から見た平面図である。
【図４】吊金具３の取り付け角度を変えた場合のペンダント２がチェーン１に吊るされた状態を裏側から見た平面図である。
【符号の説明】
【００２１】１  チェーン
２  ペンダント
３  吊金具
４  チェーンおさえ
５  端末金物
６  裏板
７  上部ピン
８  下部ピン
９  ルーペ
【図１】
0003128104.tif 000003
【図２】
0003128104.tif 000004
【図３】
0003128104.tif 000005
【図４】
0003128104.tif 000006